(57)【要約】      （修正有）【課題】簡便な手段でフィルムカバーを貼り付けることができる貼り付け補助具とそれに用いるフィルムカバーフィルムを提供する。【解決手段】フィルムカバー貼り付け補助具は、対象とする本の表紙の裏面側の央部と当接する央部当接面Ａを備える本体１と、表紙の裏面側の縁部と当接又は対向する縁部当接面Ｂ及びはみ出したフィルムカバーと当接するフィルム当接面Ｃを有する移動体１１とを、央部当接面と平行な平面上を直線状に移動可能に組合わせて構成される。またフィルムカバーは、剥離紙の天及び地側から折り返し部の長さだけ内側に入った位置に切り筋を有する。【選択図】図９
0003226243.tif 000002
【実用新案登録請求の範囲】
【請求項１】
対象とする本の表紙と中身の間に挿入して使用されるフィルムカバー貼り付け補助具であって、
１）対象とする本の表紙の裏面側の央部と当接する央部当接面を有する央部支承体と、前記央部当接面よりも低い位置で対象とする本の表紙の裏面側の縁部と当接又は対向する縁部当接面を有する縁部支承体と、前記縁部当接面よりも低い位置で対象とする本の表紙の端部からはみ出したフィルムカバーと当接するフィルム当接面を有するフィルム支承体と、前記縁部支承体と前記フィルム支承体との間に設けられたフィルム反転溝とを有し、
２）前記縁部当接面の、前記フィルム反転溝を挟んで前記フィルム当接面と対向する側の後端部と、前記フィルム当接面の、前記フィルム反転溝を挟んで前記縁部当接面と対向する側の前端部とは、共に直線状で、かつ互いに平行であり、
３）前記央部支承体を備える本体と、前記縁部支承体、前記フィルム支承体、及び前記フィルム反転溝を備える移動体とは、前記移動体が、前記本体に対し、前記央部当接面と平行な平面内を、少なくとも第１位置と第２位置との間で、前記後端部及び前記前端部と直交する方向に相対的に移動可能に組合わされるものであり、
４）前記第１位置が、前記本体と前記移動体とを組合わせた状態で対象とする本の表紙と中身との間に挿入し、表紙を閉じたときに、前記央部当接面が対象とする本の表紙の裏面側の央部下にあるとともに、前記縁部当接面が、前記後端部を対象とする本の表紙の裏面側の端部と一致させて、対象とする本の表紙の裏面側の縁部下にある位置であり、
５）前記第２位置が、前記本体と前記移動体とを組合わせた状態で対象とする本の表紙と中身との間に挿入し、表紙を閉じたときに、前記央部当接面が対象とする本の表紙の裏面側の央部下にあるとともに、前記縁部当接面の前記後端部及び前記フィルム当接面の前記前端部が対象とする本の表紙の裏面側の下に入り込んだ位置である、
フィルムカバー貼り付け補助具。
【請求項２】
前記本体と前記移動体とを組合わせた状態で、前記縁部当接面は前記央部当接面よりも０．３〜０．７ｍｍ低い位置にあり、前記フィルム当接面は前記縁部当接面よりも０．３〜０．７ｍｍ低い位置にある請求項１記載のフィルムカバー貼り付け補助具。
【請求項３】
前記フィルム当接面の表面、又は前記フィルム当接面及び前記フィルム反転溝の表面が、非粘着性材料で構成されている請求項１又は２記載のフィルムカバー貼り付け補助具。
【請求項４】
さらに、前記移動体が前記第１位置にあるときに前記縁部当接面と対向する位置にあり、自重又は外力によって、対象とする本の表紙を前記縁部当接面に向かって押圧する表紙押さえ板、及び／又は、前記移動体が前記第１位置にあるときに前記フィルム当接面と対向する位置にあり、自重又は外力によって、対象とする本の表紙端部からはみ出したフィルムカバーを前記フィルム当接面に向かって押圧するフィルム押さえ板を有している、請求項１〜３のいずれかに記載のフィルムカバー貼り付け補助具。
【請求項５】
６）前記央部当接面よりも低い位置で対象とする本の表紙の裏面側の縁部と当接又は対向する第２縁部当接面を有する第２縁部支承体と、前記第２縁部当接面よりも低い位置で対象とする本の表紙の端部からはみ出したフィルムカバーと当接する第２フィルム当接面を有する第２フィルム支承体と、前記第２縁部支承体と前記第２フィルム支承体との間に設けられた第２フィルム反転溝とを備える第２移動体を有し、
７）前記第２縁部当接面の、前記第２フィルム反転溝を挟んで前記第２フィルム当接面と対向する側の後端部と、前記第２フィルム当接面の、前記第２フィルム反転溝を挟んで前記第２縁部当接面と対向する側の前端部とは、共に直線状で、かつ互いに平行であり、
８）前記第２移動体は、前記本体を挟んで前記移動体とは反対側の位置で、前記本体に対し、前記央部当接面と平行な平面内を、少なくとも第３位置と第４位置との間で、前記第２縁部当接面の前記後端部及び前記第２フィルム当接面の前記前端部と直交する方向に相対的に移動可能に組合わされるものであり、
９）前記第３位置が、前記本体と前記第２移動体とを組合わせた状態で対象とする本の表紙と中身との間に挿入し、表紙を閉じたときに、前記央部当接面が対象とする本の表紙の裏面側の央部下にあるとともに、前記第２縁部当接面が、前記後端部を対象とする本の表紙の裏面側の端部と一致させて、対象とする本の表紙の裏面側の縁部下にある位置であり、
１０）前記第４位置が、前記本体と前記第２移動体とを組合わせた状態で対象とする本の表紙と中身との間に挿入し、表紙を閉じたときに、前記央部当接面が対象とする本の表紙の裏面側の央部下にあるとともに、前記第２縁部当接面の前記後端部及び前記第２フィルム当接面の前記前端部が対象とする本の表紙の裏面側の下に入り込んだ位置である、
請求項１〜４のいずれかに記載のフィルムカバー貼り付け補助具。
【請求項６】
前記本体と前記第２移動体とを組合わせた状態で、前記第２縁部当接面は前記央部当接面よりも０．３〜０．７ｍｍ低い位置にあり、前記第２フィルム当接面は前記縁部当接面よりも０．３〜０．７ｍｍ低い位置にある請求項５記載のフィルムカバー貼り付け補助具。
【請求項７】
前記第２フィルム当接面の表面、又は前記第２フィルム当接面及び前記第２フィルム反転溝の表面が、非粘着性材料で構成されている請求項５又は６記載のフィルムカバー貼り付け補助具。
【請求項８】
さらに、前記第２移動体が前記第３位置にあるときに前記第２縁部当接面と対向する位置にあり、自重又は外力によって、対象とする本の表紙を前記第２縁部当接面に向かって押圧する表紙押さえ板、及び／又は、前記第２移動体が前記第３位置にあるときに前記第２フィルム当接面と対向する位置にあり、自重又は外力によって、対象とする本の表紙端部からはみ出したフィルムカバーを前記第２フィルム当接面に向かって押圧するフィルム押さえ板を有している、請求項５〜７のいずれかに記載のフィルムカバー貼り付け補助具。
【請求項９】
接着性のある側に剥離紙を貼り合わせてなるシート状又はロール状のフィルムカバーであって、対象とする本の表紙の天地間方向の長さよりも長い距離を隔てて互いに平行な切り筋が前記剥離紙に入れられており、天地間方向端部の剥離紙と、天地間方向央部の剥離紙とが、独立して別々にフィルムカバーから剥離可能である、請求項１〜８のいずれかに記載のフィルムカバー貼り付け補助具とともに用いられるフィルムカバー。
【考案の詳細な説明】
【技術分野】
【０００１】
本考案は、本の表紙等をカバーするフィルムカバーの貼り付け補助具と、それと共に用いられるフィルムカバーに関する。
【背景技術】
【０００２】
例えば図書館などでは、本の破損や汚れを防止する目的で、本の表紙に薄いフィルムカバーを貼り付けることが行われている。フィルムカバーは、通常、片面に接着剤が塗布された透明又は半透明のプラスチックフィルムから構成され、接着剤が塗布された面を剥離紙で覆った状態で、対象とする本の大きさに合わせた形状のシート状若しくはロール状に巻かれた形態で提供されている。
【０００３】
しかしながら、薄いフィルムカバーを、剥離紙を剥がして接着面を適宜露出させながら、対象とする本に貼り付ける作業は熟練を要するものであり、特に、小口側部分や、天又は地側の部分に於いて、本の表紙からはみ出したフィルムカバーを折り返して、表紙の裏側に貼り付ける作業は、表紙を開いたり、直角に立てたり、さらには、本を反転させたりする作業を伴い、手間の掛かる作業である。
【０００４】
このようなフィルムカバーの貼り付け作業を省力化すべく、従来から種々の提案が為されている。例えば、特許文献１、２には、表紙を本から取り外した状態で、片面に粘着剤層が形成されているフィルムカバーと貼り合わせることにより、貼り合わせの効率化を実現したとする装置が開示されている。しかし、特許文献１、２に開示されている装置は、表紙からはみ出した部分のフィルムカバーの折り返しに関しては何らの提案もしていない。
【０００５】
一方、特許文献３、４においては、フィルムカバーの貼り付け作業を自動化することにより、省力化を図ったとする装置が開示されている。しかし、これらの装置は、フィルムカバーの供給から、本への貼り付けまでの全工程を自動化するものであるため、装置が非常に大掛かりとなり、高価なものとなることが避けられず、誰もが気軽に導入したり、使用したりすることができるものではない。
【先行技術文献】
【特許文献】
【０００６】
【特許文献１】特開２０１０−２０１８９５号公報
【特許文献２】実用新案登録第３１５８８５１号公報
【特許文献３】再公表特許第ＷＯ２０１０／０５５８２４号公報
【特許文献４】特開２０１０−１３７５６１号公報
【考案の概要】
【考案が解決しようとする課題】
【０００７】
本考案は、上記のような従来技術の問題点を解決するために為されたもので、対象とする本の表紙等に貼り付けたフィルムカバーの小口側、或いは天又は地側にはみ出した部分を簡便な手段で効率良く折り返して、表紙等の裏側に貼り付けることができるフィルムカバー貼り付け補助具と、その補助具と共に用いるに適したフィルムカバーを提供することを課題とするものである。
【課題を解決するための手段】
【０００８】
本考案は、対象とする本の表紙と中身の間に挿入して使用されるフィルムカバー貼り付け補助具であって、
１）対象とする本の表紙の裏面側の央部と当接する央部当接面を有する央部支承体と、前記央部当接面よりも低い位置で対象とする本の表紙の裏面側の縁部と当接又は対向する縁部当接面を有する縁部支承体と、前記縁部当接面よりも低い位置で対象とする本の表紙の端部からはみ出したフィルムカバーと当接するフィルム当接面を有するフィルム支承体と、前記縁部支承体と前記フィルム支承体との間に設けられたフィルム反転溝とを有し、
２）前記縁部当接面の、前記フィルム反転溝を挟んで前記フィルム当接面と対向する側の後端部と、前記フィルム当接面の、前記フィルム反転溝を挟んで前記縁部当接面と対向する側の前端部とは、共に直線状で、かつ互いに平行であり、
３）前記央部支承体を備える本体と、前記縁部支承体、前記フィルム支承体、及び前記フィルム反転溝を備える移動体とは、前記移動体が、前記本体に対し、前記央部当接面と平行な平面内を、少なくとも第１位置と第２位置との間で、前記後端部及び前記前端部と直交する方向に相対的に移動可能に組合わされるものであり、
４）前記第１位置が、前記本体と前記移動体とを組合わせた状態で対象とする本の表紙と中身との間に挿入し、表紙を閉じたときに、前記央部当接面が対象とする本の表紙の裏面側の央部下にあるとともに、前記縁部当接面が、前記後端部を対象とする本の表紙の裏面側の端部と一致させて、対象とする本の表紙の裏面側の縁部下にある位置であり、
５）前記第２位置が、前記本体と前記移動体とを組合わせた状態で対象とする本の表紙と中身との間に挿入し、表紙を閉じたときに、前記央部当接面が対象とする本の表紙の裏面側の央部下にあるとともに、前記縁部当接面の前記後端部及び前記フィルム当接面の前記前端部が対象とする本の表紙の裏面側の下に入り込んだ位置である、
フィルムカバー貼り付け補助具を提供することによって、上記課題を解決するものである。
【０００９】
本考案のフィルムカバー貼り付け補助具は、上記のとおり、対象とする本の表紙の裏面側の央部と当接する央部当接面を有する央部支承体を備えた本体と、対象とする本の裏面側の縁部と当接又は対向する縁部当接面を有する縁部支承体、及び、対象とする本の表紙の端部からはみ出したフィルムカバーと当接するフィルム当接面を有するフィルム支承体を備えた移動体とを、相対的に直線方向に移動可能に組合わせた構造の補助具である。
【００１０】
使用に際しては、本考案に係る補助具を、表紙にフィルムカバーを貼り付けた状態にある本の表紙と中身との間に挿入し、表紙の裏面央部を前記央部支承体の前記央部当接面と当接させるとともに、表紙の裏面縁部を前記縁部支承体の前記縁部当接面と当接又は対向させ、さらに、表紙から小口側若しくは天又は地側にはみ出しているフィルムカバーの部分を前記フィルム支承体の前記フィルム当接面と当接させ、この状態で、移動体を本体側に向かって直線状に移動させればよい。前記縁部当接面及び前記フィルム当接面を有する移動体が本体側に向かって直線状に移動すると、その移動に伴い、前記フィルム当接面と当接しているフィルムカバーも本体側に向かって移動し、本の表紙の端部を起点として順次折り返されて、表紙の裏側に送り込まれ、貼り付けられることになる。なお、本考案のフィルムカバー貼り付け補助具が対象とする本の表紙とは、カバーや帯が掛けられている表紙を包含するものである。
【００１１】
フィルムカバーの折り返しと表紙裏側への送り込みをスムースに行うという観点からは、本体と移動体とが組合わされた状態で、前記縁部当接面は前記央部当接面よりも低く、前記フィルム当接面は前記縁部当接面よりも低くなるように構成されているのがよい。央部当接面と縁部当接面の高さの差、及び縁部当接面とフィルム当接面の高さの差は、貼り付けるフィルムカバーの厚さにもよるが、いずれも、通常、０．３〜０．７ｍｍ程度であるのが望ましく、０．４〜０．６ｍｍの範囲内であるのがより望ましい。
【００１２】
また、移動体の移動時に、フィルム当接面と当接しているフィルムカバーの折り返しをスムースに行うという観点からは、前記縁部当接面と前記フィルム当接面との間に、前記フィルム当接面よりも低い位置にその表面が位置しているフィルム反転溝を設けておくのが望ましい。
【００１３】
さらには、前記フィルム当接面は、その移動時に、当接しているフィルムカバーを伴って移動するとともに、一旦、フィルムカバーが表紙端部で折り返された後は、フィルムカバーが容易に剥がれることができるものであることが望ましく、少なくともその表面が、例えばシリコーン樹脂のような非粘着性の材料若しくは非粘着性の材料のシートで構成されているか、非粘着加工されているのが望ましい。前記フィルム反転溝の表面についても同様である。
【００１４】
好適な一態様において、本考案のフィルムカバー貼り付け補助具は、自重又は外力で対象とする本の表紙を前記縁部当接面に向かって押圧する表紙押さえ板、又は、自重又は外力によって、対象とする本の表紙端部からはみ出したフィルムカバーを前記フィルム当接面に向かって押圧するフィルム押さえ板、若しくはその双方を有している。
【００１５】
上述したような本考案に係るフィルムカバー貼り付け補助具は、前記本体と前記移動体とを組合わせて、前記移動体の移動方向が、例えば、対象とする本の天又は地と平行になるように本の表紙と中身の間に挿入して使用すれば、対象とする本の表紙の前小口側にはみ出したフィルムカバーを表紙の前小口側の裏側に折り返して貼り付ける作業に用いることができる。また、前記移動体の移動方向が、例えば、対象とする本の前小口と平行になるように本の表紙と中身の間に挿入して使用すれば、対象とする本の表紙の天又は地側にはみ出したフィルムカバーを表紙の天又は地側の裏側に折り返して貼り付ける作業に用いることができる。
【００１６】
本考案のフィルムカバー貼り付け補助具は、他の好ましい一態様において、さらに、
６）前記央部当接面よりも低い位置で対象とする本の表紙の裏面側の縁部と当接又は対向する第２縁部当接面を有する第２縁部支承体と、前記第２縁部当接面よりも低い位置で対象とする本の表紙の端部からはみ出したフィルムカバーと当接する第２フィルム当接面を有する第２フィルム支承体と、前記第２縁部支承体と前記第２フィルム支承体との間に設けられた第２フィルム反転溝とを備える第２移動体を有し、
７）前記第２縁部当接面の、前記第２フィルム反転溝を挟んで前記第２フィルム当接面と対向する側の後端部と、前記第２フィルム当接面の、前記第２フィルム反転溝を挟んで前記第２縁部当接面と対向する側の前端部とは、共に直線状で、かつ互いに平行であり、
８）前記第２移動体は、前記本体を挟んで前記移動体とは反対側の位置で、前記本体に対し、前記央部当接面と平行な平面内を、少なくとも第３位置と第４位置との間で、前記第２縁部当接面の前記後端部及び前記第２フィルム当接面の前記前端部と直交する方向に相対的に移動可能に組合わされるものであり、
９）前記第３位置が、前記本体と前記第２移動体とを組合わせた状態で対象とする本の表紙と中身との間に挿入し、表紙を閉じたときに、前記央部当接面が対象とする本の表紙の裏面側の央部下にあるとともに、前記第２縁部当接面が、前記後端部を対象とする本の表紙の裏面側の端部と一致させて、対象とする本の表紙の裏面側の縁部下にある位置であり、
１０）前記第４位置が、前記本体と前記第２移動体とを組合わせた状態で対象とする本の表紙と中身との間に挿入し、表紙を閉じたときに、前記央部当接面が対象とする本の表紙の裏面側の央部下にあるとともに、前記第２縁部当接面の前記後端部及び前記第２フィルム当接面の前記前端部が対象とする本の表紙の裏面側の下に入り込んだ位置であるフィルムカバー貼り付け補助具である。
【００１７】
本考案のフィルムカバー貼り付け補助具が、移動体に加えて、上記のような第２移動体を備えている場合には、本体と移動体及び第２移動体とを組合わせた状態で、移動体及び第２移動体の移動方向が対象とする本の前小口と平行になるように、表紙と中身の間に挿入して使用することにより、本考案のフィルムカバー貼り付け補助具の挿入位置を変えることなく、天側及び地側にはみ出したフィルムカバーを移動体又は第２移動体を移動させることによって、表紙の裏側に折り返し、貼り付けることができるという利点が得られる。
【００１８】
さらに、本考案は、接着性のある側に剥離紙を貼り合わせてなるシート状又はロール状のフィルムカバーであって、対象とする本の表紙の天地間方向の長さよりも長い距離を隔てて、互いに平行な切り筋が前記剥離紙に入れられているフィルムカバーを提供することによって、上記の課題を解決するものである。
【００１９】
対象とする本の表紙の天地間方向の長さよりも長い距離を隔てて、互いに平行な切り筋が前記剥離紙に入れられているフィルムカバーであれば、フィルムカバーの中央部分に位置する剥離紙を剥がすタイミングとは別に、適宜のタイミングでフィルムカバーの天側上端部分又は地側下端部分の剥離紙を剥がすことができるので、本考案に係るフィルムカバー貼り付け補助具を対象とする本の表紙と中身の間に挿入するときや、前小口側にはみ出たフィルムカバーの貼り付け作業を行っているときなどに、フィルムカバーの天側上端部分又は地側下端部分がむやみと他の材料や部材に貼り付いてしまうことがないので最適であり、かつ、本考案に係るフィルムカバー貼り付け補助具とともに用いるフィルムカバーとして極めて好適である。
【考案の効果】
【００２０】
本考案に係るフィルムカバー貼り付け補助具は、本体と移動体とを組合わせ、対象とする本の表紙と中身の間に挿入し、移動体を本体に対して直線方向に移動させるという簡単な操作によって、表紙の小口側、又は天若しくは地側にはみ出したフィルムカバーを、効率良く折り返して、表紙の裏側に貼り付けることができるという利点を有している。本考案に係るフィルムカバー貼り付け補助具は、構造が簡単で、大掛かりな装置を必要としていないので、コンパクトで、安価に製造でき、誰でもが容易に使用することができるという利点も有している。
【００２１】
また、本考案に係るフィルムカバーは、本の表紙の天ならびに地側にはみ出した部分と本の表紙の中央部分に相当する部分との間に切り筋を有しているので、天ならびに地側にはみ出した部分に相当する剥離紙を、中央部分に相当する剥離紙とは異なるタイミングで剥がして使用することができるので、天ならびに地側にはみ出した部分に相当するフィルムカバーが、不必要なときに、不必要な対象に貼り付くことが防止でき、最適であるとともに、本考案に係るフィルムカバー貼り付け補助具と共に用いるのに好適であるという利点を有している。
【図面の簡単な説明】
【００２２】
【図１】本考案のフィルムカバー貼り付け補助具の本体の一例を示す斜視図である。
【図２】図１のＸ垂直断面図である。
【図３】本考案のフィルムカバー貼り付け補助具の移動体の一例を示す斜視図である。
【図４】本考案のフィルムカバー貼り付け補助具の移動体の一例を示す底面側斜視図である。
【図５】図３のＹ垂直断面図である。
【図６】図５の部分拡大断面図である。
【図７】縁部当接面の前端部及びフィルム当接面の前端部の他の一例を示す断面図である。
【図８】本体と移動体とを組合わせる手順を示す斜視図である。
【図９】本体と移動体とを組合わせる手順を示す斜視図である。
【図１０】図９のＺ垂直断面図である。
【図１１】図９のα垂直断面図である。
【図１２】押圧体の一例を示す斜視図である。
【図１３】押圧体の組立状体を示す図である。
【図１４】押圧体の側面図である。
【図１５】本考案に係るフィルムカバー貼り付け補助具とともに用いるのに適したフィルムカバーの一例を示す図である。
【図１６】フィルムカバーの貼り付け手順を説明する図である。
【図１７】フィルムカバーの貼り付け手順を説明する図である。
【図１８】フィルムカバーの貼り付け手順を説明する図である。
【図１９】フィルムカバーの貼り付け手順を説明する図である。
【図２０】本考案に係るフィルムカバー貼り付け補助具とともに用いるのに適したフィルムカバーの他の一例を示す図である。
【図２１】本の表紙と中身の間に本考案に係るフィルムカバー貼り付け補助具を挿入する様子を示す図である。
【図２２】本の表紙と中身の間に本考案に係るフィルムカバー貼り付け補助具を挿入し表紙を閉じた状態を示す図である。
【図２３】図２２のβ垂直断面図である。
【図２４】閉じた表紙の上に押圧体を載置する状態を示す図である。
【図２５】閉じた表紙の上に押圧体を載置した状態を示す図である。
【図２６】図２５のγ垂直断面図である。
【図２７】本考案に係るフィルムカバー貼り付け補助具を用いたフィルムカバーの貼り付け手順を説明する図である。
【図２８】本考案に係るフィルムカバー貼り付け補助具を用いたフィルムカバーの貼り付け手順を説明する図である。
【図２９】本考案に係るフィルムカバー貼り付け補助具を用いたフィルムカバーの貼り付け手順を説明する図である。
【図３０】本考案に係るフィルムカバー貼り付け補助具の他の一例を示す斜視図である。
【図３１】図３０に示すフィルムカバー貼り付け補助具の組合わせた状態を示す図である。
【図３２】組合わせた状態にあるフィルムカバー貼り付け補助具を本の表紙と中身の間に挿入した状態を示す図である。
【考案を実施するための形態】
【００２３】
以下、図面を用いて本考案を詳細に説明するが、本考案が図示のものに限られないことは勿論である。
【００２４】
図１は、本考案に係るフィルムカバー貼り付け補助具の本体の一例を示す斜視図であり、一部、部分拡大図を併記してある。図１において、１は本体、２は本体１を構成する基板であり、基板２の上面には、央部支承体３が取り付けられている。央部支承体３は、基部３ａと、基部３ａから前方方向に直線状に突出する突出部３ｂ、３ｃとからなっており、基部３ａと突出部３ｂ、３ｃの上面が央部当接面Ａを構成している。央部当接面Ａは、本考案に係る補助具を使用するとき、対象とする本の表紙の裏面側の央部と当接する面である。表紙の裏面側の央部とは、表紙の裏面側の比較的中央に近い部分を意味しており、表紙の裏面側の周縁部でない部分をいうものである。央部当接面Ａは、表紙の裏面側の央部と当接すればよく、央部に加えて縁部と当接してもよい。
【００２５】
４ａ、４ｂは、基板２の左右に取り付けられ、基板２の前端から後端まで延在するガイド部材であり、ガイド部材４ａ、４ｂの互いに対向する側の上部５ａ、５ｂは庇状に突出している。図１の部分拡大図に示すとおり、庇状に突出する上部５ａ、５ｂと基板２との間には、基板２の前端から後端まで、央部支承体３の突出部３ｂ、３ｃの突出方向と平行に延びるガイド溝Ｖａ、Ｖｂが形成されている。ガイド溝Ｖａ、Ｖｂの延びる方向が、本体１に対して後述する移動体が相対的に直線状に移動する方向となり、基板２の上面がその移動面となる。なお、本体１に関しては、図中矢印で示す方向を前、矢印と反対の方向を後とし、後方向を向いたときの左右を左右というものとする。
【００２６】
６ａ、６ｂは、それぞれガイド部材４ａ、４ｂ上に設けられた凸片であり、後述する押さえ板の端部を当接させることで、押さえ板の位置決め部材として機能する。７は、基板２の下面に取り付けられた位置決め部材であり、対象とする本の前小口又は天或いは地と当接して、対象とする本を本体１に対して位置決めする部材である。
【００２７】
８ａ、８ｂ、８ｃは、基板２に設けられた開口であり、基板２の軽量化に資するとともに、開口８ａ、８ｂ、８ｃの前方側の端部は、後述する移動体の下面に取り付けられた凸片と係合し、本体１に対する移動体の位置決め部材として機能する。
【００２８】
図２は、図１の本体１を、基板２の上面に垂直で、突出部３ｂの突出方向に平行な面Ｘで切断した断面図である。図２に見られるとおり、央部当接面Ａは基板２の上面と平行である。また、ｈ１は、央部当接面Ａの基板２の上面からの高さである。
【００２９】
図３は本考案に係るフィルムカバー貼り付け補助具の移動体の一例を示す斜視図である。図３において、１１は移動体であり、１２は移動体１１を構成する基板である。１３は基板１２の前方側端部の上面に取り付けられた縁部支承体であり、縁部支承体１３の上面が縁部当接面Ｂを構成している。縁部当接面Ｂは、本考案に係る補助具を使用するとき、最初のセット状態に対応する第１位置に移動体１１が位置しているときに、対象とする本の表紙の裏面側の縁部と当接する面である。表紙の裏面側の縁部とは、表紙の裏面側の端部若しくは比較的端部に近い部分を意味しており、表紙の裏面側の央部でない部分をいうものである。なお、移動体１１に関しては、図３中、矢印で示す方向を前、矢印と反対方向を後とし、前方を向いたときの左右を左右というものとする。
【００３０】
縁部支承体１３及び縁部当接面Ｂは、本来一体で単一であってもよいものであるが、本例においては、基板１２を上下に貫通し、前後方向に延びる切れ込み１４ａ、１４ｂによって、３つの部分に分断されている。因みに、切れ込み１４ａ、１４ｂは、移動体１１を前述した本体１とを組合わせるとき、本体１に設けられている央部支承体３の突出部３ｂ、３ｃが嵌り込む切れ込みであり、切れ込み１４ａ、１４ｂが延びる方向は本体１に対して移動体１１が相対的に移動する直線方向と平行である。
【００３１】
１５は、基板１２の上面に取り付けられたフィルム支承体であり、フィルム支承体１５の上面がフィルム当接面Ｃを構成している。フィルム当接面Ｃは、本考案に係る補助具を使用するとき、最初のセット状態に対応する第１位置に移動体１１が位置しているときに、対象とする本の表紙の縁部からはみだしたフィルムカバーと当接する面である。１６はフィルム反転溝であり、フィルム反転溝１６は、縁部支承体１３とフィルム支承体１５との間に設けられている。フィルム反転溝１６は、本来は一体で単一であってもよいものであるが、本例においては、切れ込み１４ａ、１４ｂによって、３つの部分に分断されている。また、切れ込み１４ａ、１４ｂの後方側の端部は、フィルム支承体１５に達している。１７は、基板１２の後方端に設けられたストッパである。
【００３２】
図３に示すとおり、基板１２の左右の端部には、縁部支承体１３やフィルム支承体１５が存在せず、基板１２が左右に狭い幅で基板１２の前後方向に沿って露出している滑り部Ｅａ、Ｅｂが設けられている。この滑り部Ｅａ、Ｅｂにおける基板１２の厚さは、滑り部Ｅａ、Ｅｂが、図１に示した本体１のガイド溝Ｖａ、Ｖｂのそれぞれと嵌り合う厚さとされている。このため、移動体１１の基板１２の下面を本体１の基板２の上面と当接させて、移動体１１を本体１と組合わせるとき、滑り部Ｅａ、Ｅｂを本体１のガイド溝Ｖａ、Ｖｂ内に嵌め込むことによって、移動体１１は、本体１の基板２上を、本体１に対してガイド溝Ｖａ、Ｖｂに沿った直線方向に、相対的に移動することができる。
【００３３】
図３において、Ｂｅは縁部当接面Ｂの後端部であり、Ｃｆはフィルム当接面Ｃの前端部である。図３に示すとおり、後端部Ｂｅは、フィルム反転溝１６を挟んで、フィルム当接面Ｃと対向しており、前端部Ｃｆは、同じくフィルム反転溝１６を挟んで、縁部当接面Ｂと対向している。縁部当接面Ｂの後端部Ｂｅ、及びフィルム当接面Ｃの前端部Ｃｆは、共に直線状であり、フィルム反転溝１６を挟んで互いに平行で、切れ込み１４ａ、１４ｂが延びる方向、すなわち、本体１と移動体１１とを組合わせたとき、本体１に対して移動体１１が相対的に移動する直線方向と直交している。
【００３４】
図４は、移動体１１の底面側斜視図であり、図３におけると同じ部材には同じ符号を付してある。図４において、１８ａ、１８ｂ、１８ｃは、基板１２の裏面側に取り付けられた凸片であり、移動体１１と本体１とが組合わされたとき、本体１の基板２に設けられた開口８ａ、８ｂ、８ｃの前方側の端部と当接することで、移動体１１を本体１に対して所定の位置に位置決めすることを可能にするものである。
【００３５】
図５は、図３の移動体１１を、基板１２の上面に垂直で、切れ込み１４ａの切れ込み方向に平行な面Ｙで切断した断面図である。縁部当接面Ｂ及びフィルム当接面Ｃは基板１２の上面及び下面と平行である。また、ｈ２は、縁部当接面Ｂの基板１２の下面からの高さであり、ｈ３は縁部当接面Ｂとフィルム当接面Ｃとの高さの差である。図に示すとおり、フィルム当接面Ｃは、縁部当接面Ｂよりもｈ３だけ低くなるように設定されている。このため、使用時、移動体１１を移動させることによって、フィルム当接面Ｃを縁部当接面Ｂに続いて本の表紙裏面側の下にスムースに移動させることができ、ひいては、フィルムカバーを対象とする本の表紙の裏面側にスムースに送り込むことができる。ｈ３の大きさに特段の制限はなく、使用するフィルムカバーの厚さに応じて適宜変更すればよいが、通常は０．３〜０．７ｍｍ程度とするのがよく、０．４〜０．６ｍｍの範囲とするのがより好ましい。
【００３６】
フィルム当接面Ｃは、剥離紙を剥がしたフィルムカバーが付着してしまうことがないように、その表面が非粘着性の材料で構成されているのが好ましい。因みに、非粘着性の材料とは、それ自身が非粘着性である材料は勿論、表面に非粘着性加工が施された材料も包含するものである。非粘着性の材料としては、例えば、シリコーン樹脂やシリコーンゴムなどを薄く成形したシリコーンフィルムが挙げられる。なお、フィルム反転溝１６の表面も、非粘着性の材料で構成されているのが好ましい。
【００３７】
図６は、図５におけるフィルム反転溝１６を挟んだ縁部支承体１３とフィルム支承体１５の一部だけを取り出して拡大して示す部分拡大断面図である。１９は非粘着性材料の薄いシートであり、非粘着性材料のシート１９は、フィルム支承体１５の表面を覆い、フィルム当接面Ｃを構成するとともに、フィルム反転溝１６にまで延在し、フィルム反転溝１６の表面を構成している。シート１９の先端部は、一部、縁部支承体１３の下まで延びている。このように、非粘着性材料のシート１９の先端部が縁部支承体１３の下まで延び、縁部支承体１３の下面と基板１２の上面との間に挟まれていることにより、非粘着性材料のシート１９は、フィルム反転溝１６及びフィルム支承体１５の表面をしっかりと覆い、剥がれることがない。
【００３８】
一方、縁部当接面Ｂは、移動体１１の移動時に対象とする本の表紙の裏面と当接又は対向しながらスムースに移動できるよう、その表面が摩擦係数の小さな滑らかな材料で構成されているのが好ましい。縁部当接面Ｂの表面を摩擦係数の小さな材料で構成するには、縁部支承体１３自体を摩擦係数の小さな材料で構成してもよいし、縁部支承体１３の表面に摩擦係数の小さな材料の薄いシート又はフィルムを貼り付けてもよい。
【００３９】
図５に戻って、Ｂｆは、縁部当接面Ｂの前端部であり、Ｃｅはフィルム当接面Ｃの後端部である。図示の例においては、縁部当接面Ｂの前端部Ｂｆは、垂直面と水平面とが９０度に交わる稜線として図５の紙面に対して垂直な方向に延在しているが、図７に示すように曲面状又は平面状に面取りされていてもよい。フィルム当接面Ｃの前端部Ｃｆについても同様である。縁部当接面Ｂの前端部Ｂｆ、フィルム当接面Ｃの前端部Ｃｆ、又はその双方が図７に示すように面取りされている場合には、移動体１１の移動によるフィルムカバーの貼り付け作業をより容易に行うことができるので好ましい。なお、凸片１８ｂの後方側の端部は、縁部当接面Ｂの後端部Ｂｅから垂線を下ろした位置にある。図５には示されていない凸片１８ａ、１８ｃについても同様である。
【００４０】
図８及び図９は、本体１と移動体１１とを組合わせる手順を示す斜視図である。すなわち、本体１と移動体１１とを組合わせるには、まず、図８に示すように、移動体１１を本体１に接近させ、移動体１１の基板１２の左右の滑り部Ｅａ、Ｅｂの先端を、本体１のガイド溝Ｖａ、Ｖｂ内に挿入すればよい。
【００４１】
図９は、移動体１１の基板１２の左右の滑り部Ｅａ、Ｅｂが、本体１のガイド溝Ｖａ、Ｖｂ内にしっかりと嵌合し、移動体１１が、本体１の基板２の上面上を、本体１のガイド溝Ｖａ、Ｖｂと平行な直線方向（図中、両方向矢印で示す方向）に移動可能に、本体１と移動体１１とが組合わされた状態を示している。因みに、本体１のガイド溝Ｖａ、Ｖｂと平行な直線方向は、縁部当接面Ｂの後端部Ｂｅ、及びフィルム当接面Ｃの前端部Ｃｆと直交する方向でもある。なお、図９に示す状態から、移動体１１をさらに本体１側に移動させると、本体１に設けられている央部支承体３の突出部３ｂ、３ｃは、移動体１１に設けられている切れ込み１４ａ、１４ｂと嵌合する。
【００４２】
なお、本体１と移動体１１とを相対的に直線方向に移動可能に組合わせる具体的な機構は上述したガイド溝Ｖａ、Ｖｂと滑り部Ｅａ、Ｅｂの組合わせに限られない。本体１と移動体１１とを、央部当接面Ａと平行な平面内を、縁部当接面Ｂの後端部Ｂｅ及びフィルム当接面Ｃの前端部Ｃｆと直交する直線方向に相対的に移動させることができる限りどのような機構を用いてもよく、例えば、本体１の基板２又は移動体１１の基板１２のいずれか一方に、１本又は２本以上の直線状のガイド溝を設け、他方に、前記ガイド溝と嵌り合う１又は２以上の摺動用の凸片を設けてもよい。
【００４３】
また、上述した例においては、本体１の基板２及び移動体１１の基板１２は、いずれも、板状部材で構成されているが、基板２及び基板１２は、必ずしもその全体が板状部材で構成されていなくてもよく、必要な部材や構造を必要箇所に備える枠体で構成されていてもよい。
【００４４】
図１０は、図９を、基板２の上面に垂直で、突出部３ｂ、３ｃの突出方向に平行な面Ｚで切断した断面図である。図に示すとおり、移動体１１は、基板１２の下面を本体１の基板２の上面と当接させた状態で、本体１と組合わされている。ｈ４は、図示のように本体１と移動体１１とを組合わせた状態で、央部支承体３の央部当接面Ａと、縁部支承体１３の縁部当接面Ｂの高さの差である。図示のとおり、本体１と移動体１１とを組合わせた状態で、縁部当接面Ｂは、央部当接面Ａよりもｈ４だけ低くなるように設定されており、これにより、使用時、移動体１１を対象とする本の表紙の裏面側にスムースに送り込むことができる。
【００４５】
ｈ４の大きさに特段の制限はなく、使用するフィルムカバーの厚さに応じて適宜変更すればよいが、通常は０．３〜０．７ｍｍ程度とするのがよく、０．４〜０．６ｍｍの範囲とするのがより好ましい。なお、ｈ３は前述したとおり、縁部当接面Ｂとフィルム当接面Ｃとの高さの差であり、フィルム当接面Ｃは縁部当接面Ｂよりも高さｈ３だけ低く設定されている。
【００４６】
図１１は、図９を、基板２の上面に垂直で、開口８ｂの中央部を通り、突出部３ｂ、３ｃの突出方向に平行な面αで切断した断面図である。図に示すとおり、移動体１１の基板１２の下面に取り付けられている凸片１８ｂの後方側の端部は、本体１の基板２に設けられている開口８ｂの前方端部と当接しており、移動体１１は、これ以上、本体１から離れる方向には移動できないように位置決めされている。凸片１８ａ、１８ｃと開口８ａ、８ｃについても同様である。なお、本体１の基板２及び移動体１１の基板１２は、いずれも比較的薄く、例えばプラスチックのように板圧方向に多少曲げることができる材料で構成されているので、基板１２の滑り部Ｅａ、Ｅｂを本体１のガイド溝Ｖａ、Ｖｂに挿入しつつ、基板１２の下面に取り付けられている凸片１８ａ、１８ｂ、１８ｃを、それぞれ基板２の開口８ａ、８ｂ、８ｃ内に位置させることは容易である。
【００４７】
図１２は、上述した本体１及び移動体１１と共に用いることができる押圧体の一例を示す斜視図である。図中、２１は押圧体であり、２２はその基板、２３は表紙押さえ板、２４はフィルム押さえ板、２５は覆板である。２６ａ、２６ｂ、２６ｃは、押さえ板２４と覆板２５を連結する連結体である。２８ａ、２８ｂは、押圧体２１を本体１に対して位置決めする際に、本体１の凸片６ａ、６ｂと当接させる当接部である。２９は、表紙押さえ板２３の下面に取り付けられている縁部押圧体である。
【００４８】
図１３は押圧体２１の組立状態を示す斜視図である。図に示すとおり、基板２２には、連結体挿通用の開口２７ａ、２７ｂ、２７ｃが設けられている。開口２７ａ、２７ｂ、２７ｃの平面断面形状は、対応する連結体２６ａ、２６ｂ、２６ｃの平面断面形状よりも一回り大きくなっており、開口２７ａ、２７ｂ、２７ｃ内に連結体２６ａ、２６ｂ、２６ｃをそれぞれ貫通させた状態で、連結体２６ａ、２６ｂ、２６ｃの上下に覆板２５とフィルム押さえ板２４とを取り付けることによって、フィルム押さえ板２４は、図１４の側面図に見られるとおり、基板２２に対して上下に移動可能となっている。このため、フィルム押さえ板２４をフィルムカバーを挟んでフィルム当接面Ｃと対向させると、フィルム押さえ板２４は、連結体２７ａ、２７ｂ、２７ｃと覆板２５を含めた自重により、フィルムカバーをフィルム当接面Ｃに対して押圧することになる。押圧力が不足する場合には、覆板２５の上から、例えば指や手のひら等を押し当てて、適宜、外力を加えてもよいことは勿論である。
【００４９】
表紙押さえ板２３についても同様であり、図示の例では、表紙押さえ板２３は、基板２２に直接取り付けられており、基板２２を含めた自重によって対象とする本の表紙を縁部当接面Ｂに押圧するものであるが、基板２２の上から、例えば指や手のひら等を押し当てて、適宜、外力を加えてもよいし、フィルム押さえ板２４と同様に、基板２２に対して上下方向に移動可能に構成してもよい。なお、縁部押圧体２９の厚さは、本体１と移動体１１とが組合わされた状態での央部支承体３の央部当接面Ａと縁部支承体１３の縁部当接面Ｂとの高さの差ｈ４と等しいか、ほぼ等しくされている。
【００５０】
次に図面を用いて、上述したフィルムカバー貼り付け補助具を用いて行うフィルムカバーの貼り付け手順について説明する。
【００５１】
図１５は、本考案に係るフィルムカバー貼り付け補助具とともに用いるのに適したフィルムカバーの一例を示す図である。図１５（ａ）は平面図、図１５（ｂ）は正面図である。
【００５２】
図１５（ａ）（ｂ）に示すとおり、フィルムカバー３１は、フィルム３２の接着性のある片面に、剥離紙３３を貼り合わせたものである。本例において、フィルムカバー３１は、所定の長さＬに切断されたシート状のフィルムカバーである。長さＬは対象とする本のサイズに合わせて決められる長さであり、表側の表紙の幅をｗ１、背表紙の幅をｗ２、裏側の表紙の幅をｗ３、表側の表紙からはみ出した部分での予定する折り返し幅をｗ４、裏側の表紙からはみ出した部分での予定する折り返し幅をｗ５としたとき、Ｌ＝ｗ１＋ｗ２＋ｗ３＋ｗ４＋ｗ５となるように設定される。なお、通常はｗ１＝ｗ３であり、ｗ４＝ｗ５であるが、ｗ４とｗ５とは異なっていてもよい。
【００５３】
３４Ｕ、３４Ｌは剥離紙３３の上方及び下方に、紙面横方向に入れられている直線状の切り筋であり、切り筋３４Ｕ及び３４Ｌを境にして、それよりも上側に位置する剥離紙とそれよりも下側に位置する剥離紙とは、それぞれ別々に独立して剥がすことができるようになっている。切り筋３４Ｕと３４Ｌとは互いに平行であり、切り筋３４Ｕと３４Ｌとの間の縦方向の長さｄ１は、対象とする本の天地間方向の長さが多少変わっても十分に対応できるよう、対象とする本の表紙の天地間方向の長さよりも長く設定されており、一例を挙げれば、対象とする本の表紙の天地間方向の長さよりも、天側及び地側にそれぞれ最大で約７ｍｍ程度長くなるように設定されている。一方、天側の切り筋３４Ｕとフィルムカバー３１の上端までの長さｄ２と、地側の切り筋３４Ｌとフィルムカバー３１の下端までの長さｄ３は、対象とする本の表紙の裏側に折り返すことができる長さであれば何ｍｍであってもよい。なお、ｄ２とｄ３とは同じであるのがよいが、異なっていてもよい。
【００５４】
３４Ｖは、シート状のフィルムカバー３１の右側端部から、ｗ１＋ｗ４に相当する長さだけ内側に入った位置に紙面縦方向に入れられている縦切り筋であり、縦切り筋３４Ｖを境に、それよりも右側に位置する剥離紙３３と、左側に位置する剥離紙３３とは別々に互いに独立して剥がすことができるようになっている。
【００５５】
図１６は、上述したフィルムカバー３１を本に貼り付ける手順を示す図であり、図１５におけると同様に、図１６（ａ）が平面図、図１６（ｂ）が正面図である。フィルムカバー３１を対象とする本に貼り付ける手順は、基本的に、従来から行われているフィルムカバーの貼り付け方法と変わるところはない。すなわち、まず、縦切り筋３４Ｖの左側に位置する剥離紙３３を、例えば、長さ４ｃｍ程度剥がして、その部分にフィルム３２の接着面を露出させる。このとき、本考案に係るフィルムカバー３１には、その上下に切り筋３４Ｕ及び３４Ｌが設けられているので、中央部分の剥離紙３３を剥がしても、切り筋３４Ｕよりも上側に位置する剥離紙３３及び切り筋３４Ｌよりも下側に位置する剥離紙３３は剥がされることなく残り、フィルム３２の接着面を覆ったままである。
【００５６】
次に、図１７（ａ）（ｂ）に示すように、縦切り筋３４Ｖの右側に位置する、未だ剥がされていない剥離紙３３の上に、対象とする本４１を、その背表紙のラインを縦切り筋３４Ｖと一致させて、例えば裏側の表紙を下にして、上下の切り筋３４Ｕと３４Ｌとの間に収まるように載置する。続いて、縦切り筋３４Ｖよりも左側に位置するフィルムカバー３１を持ち上げて、フィルム３２の露出している接着面を本４１の背表紙に当接させ、空気が残らないように注意しながら本４１の背表紙に貼り付ける。図１８は、上記のようにして、フィルム３２の露出した接着面が本４１の背表紙に貼り付けられた状態を示している。
【００５７】
図１８に示した状態からは、例えば定規などを利用して、フィルム３２を本４１の表側の表紙にぴったりと押し当てて、フィルム３２と本４１の表側の表紙との間に空気などが残らないように注意しながら、剥離紙３３の残りの部分を徐々に剥がしていけばよい。このようにして、本４１の表表紙へのフィルム３２の貼り付けが完了したら、本４１を貼り付けられているフィルムカバー３１ごと上下を反転させて、同様にして、裏側の表紙にもフィルム３２を貼り付ければよい。
【００５８】
以上は、予め所定の長さＬに切断されたシート状のフィルムカバー３１について説明したが、本考案に係るフィルムカバー貼り付け補助具とともに用いるフィルムカバーは、ロール状に巻かれたフィルムカバーであってもよい。ロール状に巻かれたフィルムカバー３１の一例を図１９に示す。
【００５９】
図１９において、フィルムカバー３１は、先に述べたシート状のフィルムカバー３１と同様に、フィルム３２の接着性のある片面に、図中ハッチングで示す剥離紙３３を貼り合わせたものであり、ロール状に巻かれた状態にある。３４Ｕ、３４Ｌは、剥離紙３３の上方及び下方に入れられている切り筋であり、切り筋３４Ｕ及び／又は３４Ｌを境にして、その上部の剥離紙とその下部の剥離紙とは、それぞれ別々に独立して剥がすことができるようになっている。
【００６０】
切り筋３４Ｕと３４Ｌとの間の縦方向の長さｄ１、並びに天側の切り筋３４Ｕとフィルムカバー３１の上端までの長さｄ２、及び、地側の切り筋３４Ｌとフィルムカバー３１の下端までの長さｄ３については、先にシート状のフィルムカバー３１について述べたと同様である。図中、３５で示す矢印は、使用時、フィルムカバー３１をカットする位置を示している。フィルムカバー３１の先端部からカット位置３５までの長さＬは、対象とする本の表側の表紙の幅ｗ１、背表紙の幅ｗ２、及び裏側の表紙の幅ｗ３に加えて、表紙の表側及び裏側の小口側部分での予定する折り返し幅Ｗ４、Ｗ５を勘案して、適宜設定すればよい。
【００６１】
図１９に示したロール状に巻かれたフィルムカバー３１を本に貼り付ける手順は、切り筋３４Ｕと３４Ｌが有ることを除けば、基本的に、従来から行われているロール状に巻かれたフィルムカバーの貼り付け方法と変わるところはない。すなわち、まず、切り筋３４Ｕと３４Ｌとの間に位置する上下方向中央部分の剥離紙３３を、ロール状に巻かれたフィルムカバー３１の先端部側から幅Ｗ４よりも長めに剥がして、フィルム３２の接着面を露出させる。次に、接着面が一部露出したフィルム３２の上に、対象とする本を、切り筋３４Ｕと３４Ｌとの間に収まるように、かつ、天及び地が、切り筋３４Ｕ及び３４Ｌとそれぞれ平行になるように載置して、表紙の一部をフィルム３２の露出した接着面に当接させ、フィルム３２を貼り付ける。その後、フィルムカバー３１とともに本の表裏を反転させ、剥離紙３３を徐々に引きはがしながら、フィルム３２と本の表紙との間に空気等が残らないように注意して、本にフィルム３２を貼り付ければよい。
【００６２】
なお、シート状のフィルムカバー３１及びロール状に巻かれたフィルムカバー３１は、対象とする本の判（サイズ）に応じて、各判用のものを取りそろえて置くのがよい。
【００６３】
図２０は、上記のようにして、背表紙及び表側の表紙に加えて裏側の表紙にもフィルム３２を貼り付けた状態にある本４１を示している。図において、４２は本４１の表側の表紙、４３は中身、４４は小口、４５は地、４６は天、４７はのどである。本４１は、表側の表紙４２が半ば開いた状態にあり、本４１の中身４３が露出した状態にある。なお、半ば開かれているのが裏側の表紙であってもよいことはいうまでもない。また、本４１の表紙４２はカバーを有するものであってもよい。
【００６４】
図２０に見られるとおり、フィルムカバー３１の中央部分の剥離紙は剥がされ、フィルム３２の小口４４側の折り返し部に相当する箇所は接着性のある面を上にして露出した状態にあるが、天４６側及び地４５側の折り返し部に相当する箇所には、依然として剥離紙３３が貼られた状態にある。この状態で、フィルムカバー３１の四隅を、それぞれ切断線３６ａ、３６ｂ、３６ｃ、３６ｄに沿って切断する。これは、フィルムカバー３１の本４１からはみ出した部分を折り返すときに邪魔にならないようにするためである。また、フィルムカバー３１の本４１の背表紙に相当する部分からはみ出した部分３７ａ、３７ｂも、折り返す所がないので、外側に向かうほど開角気味に切り取るのがよい。なお、本４１の表紙が表紙カバーを有している場合には、はみ出した部分３７ａ、３７ｂを切り取らずに、切れ込みだけを入れて、切れ込みの内側部分の剥離紙３３を剥がし、表紙カバーの内側に折り返して貼り付けるようにしてもよい。
【００６５】
図２１は、上述した処理を終えた本４１の表紙４２と中身４３の間に、本考案に係るフィルムカバー貼り付け補助具を挿入する様子を示した図である。本体１と移動体１１とは、上述したとおり、縁部当接面Ｂの後端部Ｂｅ（その延長線を図中にＢｅｌｉｎｅとして示す）と直交する方向に直線状に移動可能に組合わされており、その直線状の移動可能方向を、本４１の天４６又は地４５に沿った線（図中に４６ｌｉｎｅ又は４５ｌｉｎｅとして示す）と平行にして、矢印で示すように、本４１の表紙４２と中身４３との間に挿入される。このとき、後述するとおり、本体１の基板２の下面に取り付けられている位置決め部材７の後端部が本４１の小口４４の先端部と当接し、本体１は、それ以上、本４１ののど４７側に進入できなくなるので、本体１は本４１に対して位置決めされることになる。
【００６６】
図２２は、本考案に係るフィルムカバー貼り付け補助具を本４１の表紙４２と中身４３の間に挿入した後、表紙４２を閉じた状態を示している。図に示すとおり、表紙４２の裏面側の先端部４２ｆと、縁部当接面Ｂの後端部Ｂｅとは一致しており、両者は同一垂直平面上に位置している。換言すれば、本４１の表紙４２を閉じたときに、移動体１１の縁部当接面Ｂの後端部Ｂｅが表紙４２の裏面側先端部４２ｆと一致するような位置に、本体１と組合わされた移動体１１は挿入される。なお、本考案に係るフィルムカバー貼り付け補助具は、人手によって対象とする本４１の表紙４２と中身４３との間に挿入されるものであるので、移動体１１の縁部当接面Ｂの後端部Ｂｅと表紙４２の裏面側先端部４２ｆとが一致するという意味は、略一致しているか、略一致しているに等しい場合を含むものである。図示していないけれども、本体１が備える央部当接面Ａは、表紙４２の央部下に位置している。
【００６７】
図２３は、図２２のβ垂直断面図であり、円で囲んだ部分の拡大図を図中矢印先に示してある。図に示すとおり、本体１の央部当接面Ａは、閉じられた表紙４２の裏側の央部下にあり、央部下において表紙４２の裏側と当接している。また、移動体１１の縁部当接面Ｂは、閉じられた表紙４２の裏側の縁部下にあり、縁部下において、表紙４２の裏側と当接又は対向している。拡大図に示すとおり、表紙４２の先端部４２ｆは、縁部当接面Ｂの後端部Ｂｅと一致しており、先端部４２ｆと後端部Ｂｅとは同じ垂直面上に位置している。この状態を第１位置と呼ぶ。なお、表紙４２の先端部４２ｆから先にはみ出したフィルム３２は、接着面を下にしてフィルム当接面Ｃと一部当接している。また、本４１の小口４４の先端部は、本体１の基板２の下面に取り付けられている位置決め部材７の後端部と当接し、これにより本体１は本４１に対して位置決めされている。
【００６８】
図２４は、閉じた状態にある表紙４２の上に押圧体２１を載せる様子を示す図である。押圧体２１は、その当接部２８ａ、２８ｂを、本体１の凸片６ａ、６ｂにそれぞれ当接させることによって本体１に対して位置決めされ、閉じられた表紙４２の上から、本体１と移動体１１の上に載置される。
【００６９】
図２５は、押圧体２１を載置した状態を示す図である。なお、押圧体２１を載置した方がフィルムカバーの貼り付けには便利であるが、押圧体２１は必ずしも必須のものではない。押圧体２１を用いなくとも、本考案に係るフィルムカバー貼り付け補助具を用いてフィルムカバーを本４１の表紙に貼り付けることは可能である。
【００７０】
図２６は、図２５のγ垂直断面図であり、図中円で囲んだ部分の部分拡大図も併せて示してある。図に示すとおり、押圧体２１の表紙押さえ板２３は、表紙４２と対向する位置にあり、フィルムカバーのフィルム３２を介して表紙４２と当接し、表紙４２を央部当接面Ａに向かって自重によって押圧している。また、表紙押さえ板２３に取り付けられている縁部押圧体２９は、表紙４２の縁部と対向する位置にあり、フィルム３２を介して表紙４２の縁部と当接し、表紙４２の縁部を縁部当接面Ｂに向かって自重によって押圧している。縁部当接面Ｂは央部当接面Ａよりもｈ４だけ低い位置にあるが、上記のように表紙押さえ板２３の縁部当接面Ｂと対向する箇所には略ｈ４に等しい厚さの縁部押圧体２９が設けられているので、押圧体２１を表紙４２の上に載置することによって、表紙４２はその央部及び縁部を、フィルム３２を介して、それぞれ央部当接面Ａ及び縁部当接面Ｂに当接させることができ、表紙４２の縁部が浮き上がることがない。
【００７１】
同様に、押圧体２１のフィルム押さえ板２４は、表紙４２の小口側端部からはみ出したフィルム３２の上にあり、フィルム３２をフィルム当接面Ｃに向かって自重によって押圧している。押圧力が自重だけでは不足すると思われる場合には、適宜、指や手のひらなどで押圧体２１の基板２２や、覆板２５の上面に力を加えて、押圧力を調整すればよい。図２６の右上にある部分拡大図に示すとおり、表紙４２の小口側端部からはみ出したフィルム３２は、フィルム押さえ板２４によって押圧されて下方に一旦折れ曲がった後、縁部当接面Ｂよりも高さｈ３だけ低い位置にあるフィルム当接面Ｃと当接している。
【００７２】
図２６に示す位置において、央部当接面Ａは本４１の表紙４２の裏面側の央部下にあり、縁部当接面Ｂは、その後端部Ｂｅを本４１の表紙４２の小口４４側の端部４２ｆと一致させた状態で、表紙４２の小口４４側縁部の下に位置しており、移動体１１は、いわばセット位置に対応する第１位置にある。表紙４２の小口４４側端部からはみ出したフィルム３２を、表紙４２の裏側に折り込んで貼り付けるには、上記第１位置から移動体１１を、本体１及び本４１に対して、本４１ののど方向に向かって移動させればよい。
【００７３】
図２７は、図２６に示した第１位置から移動体１１を図中矢印方向に若干移動させた状態を示している。図２６におけると同様に、部分拡大図を併せて示してある。図に見られるとおり、移動体１１の移動に伴い、縁部当接面Ｂを備える縁部支承体１３だけでなく、フィルム当接面Ｃを備えるフィルム支承体１５も図中矢印方向に移動する。フィルム当接面Ｃには表紙４２からはみ出した部分のフィルム３２が当接しており、その上にはフィルム押さえ板２４があって押圧力が加えられているので、フィルム当接面Ｃが移動すると、それと当接しているフィルム３２も、当接したままの状態で図中矢印方向に移動する。一方、本４１の表紙４２は移動しないので、表紙４２の小口４４側の端部とフィルム当接面Ｃの前端部との間で、フィルム３２がたわむことになるが、フィルム反転溝１６が設けられているので、フィルム３２のたわみは、図に示すとおり、支障なく行われる。
【００７４】
図２８は、図２７に示した状態よりも移動体１１をさらに矢印方向に移動させた状態を示している。図に示すとおり、移動体１１のさらなる移動に伴い、フィルム３２がさらに図中矢印方向に移動すると、フィルム反転溝１６内でたわんでいたフィルム３２は、表紙４２の裏面下側へと押し込まれ、その露出した接着面が表紙４２の縁部裏面と当接し、その当接した部分から、表紙４２の裏側に順次貼り付けられていくことになる。
【００７５】
このとき、フィルム当接面Ｃの表面は非粘着性材料のシート１９で覆われているので、フィルム３２の接着面がフィルム当接面Ｃに付着することはなく、フィルム３２はフィルム当接面Ｃから簡単に剥がれ、表紙４２の裏側に貼り付けられることになる。また、フィルム反転溝１６の表面も非粘着性材料のシート１９で覆われているので、フィルム反転溝１６内でたわんだときにフィルム３２の接着面がフィルム反転溝１６の表面と接触することがあったとしても、フィルム３２がフィルム反転溝１６の表面に付着してしまうようなことはない。
【００７６】
図２８に示す状態において、央部当接面Ａは依然として本４１の表紙４２の裏側の央部と当接する位置にあるが、縁部当接面Ｂは完全に表紙４２の裏側の下にあり、縁部当接面Ｂの後端部Ｂｅも表紙４２の裏側の下に入り込んだ位置にある。加えて、フィルム当接面Ｃの前端部Ｃｆも表紙４２の裏側の下にまで入り込んでいる。移動体１１がこの位置まで移動すると、本４１の表紙４２からはみ出した部分のフィルム３２が表紙４２の裏側に折り返され、表紙４２の裏側に貼り付けられることになるので、この位置はいわば貼り付け位置であり、第２位置と呼ぶものである。
【００７７】
図２９は、図２８に示した状態よりも移動体１１をさらに矢印方向に移動させ、表紙４２からはみ出した部分のフィルム３２を完全に表紙４２の裏側に折り返し、貼り付けた状態を示している。図２９に示す状態において、央部当接面Ａは依然として本４１の表紙４２の裏側の央部と当接する位置にあり、縁部当接面Ｂも完全に表紙４２の裏側の下にあり、縁部当接面Ｂの後端部Ｂｅは表紙４２の裏側の下に入り込んだ位置にある。加えて、フィルム当接面Ｃの前端部Ｃｆも表紙４２の裏側の下にまで入り込んでいるので、図２９に示す移動体１１の位置も、第２位置と呼べるものである。フィルム３２の折り返しと貼り付けが完了する第２位置を移動体１１を本体１に対してどこまで移動させた位置とするのかは、本４１の表紙４２からはみ出した部分のフィルム３２の長さに応じて決めればよい。
【００７８】
上記のようにして表紙４２に関して、フィルムカバーの折り返しと貼り付けが完了すると、本４１を天地を逆にして裏返し、同様の手順によって、表紙４２とは反対側の表紙に関しても、フィルムカバーの折り返しと貼り付けを行えばよい。以上の作業中も、本４１の天側及び地側にはみ出した部分のフィルムカバーには剥離紙が付着したままであるので、むやみと不必要な箇所に付着することがなく、作業の支障とならないので、天側及び地側に切り筋の入った本考案に係るフィルムカバーは、極めて最適である。
【００７９】
なお、上述したフィルムカバー貼り付け補助具は、本体１に対する移動体１１の直線状の移動方向を本４１の小口４４と平行にして、対象とする本の表紙と中身との間に挿入して用いることにより、本の天側又は地側にはみ出した部分のフィルムの折り返しと貼り付けにも使用できることは勿論である。
【００８０】
図３０は、本考案に係るフィルムカバー貼り付け補助具の他の一例を示す斜視図である。先に述べたのと同じ部材には同じ符号を付してある。先に述べた例においては、一つの本体１に対して、一つの移動体１１を組合わせるものであったところ、本例においては、一つの本体１に対して二つの移動体、すなわち、移動体１１と第２移動体５１とを本体１を挟んで反対側の位置で本体１と組合わせるところが大きな変更点である。
【００８１】
すなわち、本例における本体１は、図３０に示すとおり、央部支承体３の基部３ａを基板２の長手方向中央に備えており、基部３ａから、移動体１１の側には、突出部３ｂ、３ｃが突出し、第２移動体５１の側には、突出部３ｄ、３ｅが突出している。また、基板２には、移動体１１の側には、開口部８ａ、８ｂが設けられ、第２移動体５１の側には、開口部８ｃ、８ｄが設けられている。加えて、基板２の一方の側部にはガイド溝Ｖｂが形成されており、ガイド溝Ｖｂは、第２移動体５１の側に開口している同様のガイド溝Ｖｃと連通している。基板２の他方の側部には、ガイド溝は設けられておらず、移動体１１及び第２移動体５１の移動方向を規制するガイドＧが設けられている。
【００８２】
移動体１１の形状や構造は、基本的に先に述べた例における移動体１１と同様であり、その直線状の移動方向が、縁部当接面Ｂの後端部Ｂｅと直交する方向である点においても、先に述べた例と同じである。また、第２移動体５１の形状や構造は、基板５２の形状と凸片５８ａ、５８ｂの位置が移動体１１の対応する部材とずれている点を除けば、移動体１１と基本的に同じであり、その直線状の移動方向が、縁部当接面Ｂ２の後端部Ｂ２ｅと直交する方向である点においても、移動体１１と同じである。
【００８３】
本体１と移動体１１とは、図中、右下から左上の方向に向かって移動体１１を移動させ、基板１２の前記移動方向右側先端部分を本体１のガイド溝Ｖｂに挿入し、基板１２の前記移動方向左側後半部分を本体１のガイドＧに沿わせることによって、組合わせることができる。組合わせた状態において、移動体１１は、央部当接面Ａと平行な面内で、縁部当接面Ｂの直線状の後端部Ｂｅと直交する直線方向に沿って本体１に対して相対的に移動可能である。央部支承体３の突出部３ａ、３ｂが、切れ込み１４ａ、１４ｂ内に嵌り込むことは、先に述べた例におけると同様である。
【００８４】
一方、第２移動体５１は、本体１に対して、移動体１１とは反対側から本体１に組合わされる。すなわち、第２移動体５１を、図中、左上から右下の方向に向かって移動させ、基板５２の前記移動方向右側先端部分を本体１のガイドＧに沿わせ、基板５２の前記移動方向左側後半部分を本体１のガイド溝Ｖｃ内に挿入することによって、移動体５１と本体１とを組合わせることができる。また、組合わせるとき、央部支承体３の突出部３ｄ、３ｅは、第２移動体５１に設けられた切れ込み５４ａ、５４ｂ内に嵌り込むことは、移動体１１を本体１と組合わせるときと同じである。
【００８５】
なお、５３は第２移動体５１の縁部支承体、５５はフィルム支承体、５６はフィルム反転溝であり、５８ａ、５８ｂは、移動体１１の凸片１８ａ、１８ｂと同様に機能する凸片である。また、Ｂ２は縁部支承体５３が備える縁部当接面、Ｃ２はフィルム支承体５５が備えるフィルム当接面である。組合わせた状態において、移動体５１は、央部当接面Ａと平行な面内で、縁部当接面Ｂ２の直線状の後端部Ｂ２ｅと直交する直線方向に沿って本体１に対して相対的に移動可能である。
【００８６】
図３１は、上記のようにして本体１と移動体１１及び第２移動体５１とを組合わせた状態を示している。なお、組合わせた状態において、移動体１１の縁部当接面Ｂの高さは本体１の央部当接面Ａよりも低く、移動体１１のフィルム当接面Ｃの高さは縁部当接面Ｂよりも低くなるように設定されている。同様に、組合わせた状態において、移動体５１の縁部当接面Ｂ２の高さは本体１の央部当接面Ａよりも低く、移動体５１のフィルム当接面Ｃ２の高さは縁部当接面Ｂ２よりも低くなるように設定されている。各面間の高さの差は、貼り付けるフィルムカバーの厚さにも依るが、先に述べた例におけると同様に、０．３〜０．７ｍｍの範囲にあるのが好ましく、０．４〜０．６ｍｍの範囲にあるのがより好ましい。
【００８７】
図３２は組合わせた状態にある本考案に係るフィルムカバー貼り付け補助具を対象とする本４１の表紙４２と中身の間に挿入し、表紙４２を閉じる状態を示す図である。図に示すとおり、本例のフィルムカバー貼り付け補助具は、本体１を挟んでその両側に移動体１１と第２移動体５１とを組合わせるものであるので、移動体１１及び移動体５１の直線状の移動方向が対象とする本４１の表紙の小口４４側の端部と平行になるように表紙４２と中身４３との間に挿入することによって、天４６の側、及び地４５の側にはみ出したフィルムを表紙４２の裏側に折り込んで、貼り付ける際に好適に使用できる。
【００８８】
本考案に係るフィルムカバー貼り付け補助具を、図３２に示す向きで、対象とする本４１の表紙４２と中身の間に挿入し、表示４２を閉じたとき、移動体１１にとって第１位置とは、縁部当接面Ｂの後端部Ｂｅが、表紙４２の地４５側の端部と一致する位置であり、第２位置とは、縁部当接面Ｂの後端部Ｂｅ及びフィルム当接面Ｃの前端部Ｃｆがいずれも表紙４２の裏側の縁部下に位置する位置である。
【００８９】
同様に、本考案に係るフィルムカバー貼り付け補助具を、図３２に示す向きで、対象とする本４１の表紙４２と中身の間に挿入し、表紙４２を閉じたとき、第２移動体５１にとって第３位置とは、縁部当接面Ｂ２の後端部Ｂ２ｅが、表紙４２の天４６側の端部と一致する位置であり、移動体１１における第１位置に相当する位置である。また、第４位置とは、縁部当接面Ｂ２の後端部Ｂ２ｅ及びフィルム当接面Ｃ２の前端部Ｃ２ｆがいずれも表紙４２の裏側の縁部下に位置する位置であり、移動体１１における第２位置に相当する位置である。第４位置において、縁部当接面Ｂ２の後端部Ｂ２ｅ及びフィルム当接面Ｃ２の前端部Ｃ２ｆが表紙４２の裏側の縁部下に入り込む程度は、天４６側及び地４５側にはみ出したフィルム３２の長さに応じて適宜決めればよい。
【００９０】
表紙４２の上には、先に述べた例における押圧体２１と同様の構造を有する押圧体及び第２押圧体を、それぞれ移動体１１及び第２移動体５１と対向する位置に載置してもよい。
【００９１】
天４６側及び地４５側にはみ出したフィルム３２を表紙４２の裏側に折り込んで貼り付けるには、図３２に示す状態から表紙４２を閉じ、必要に応じて押圧体を載置した状態で、移動体１１又は第２移動体５１を、それぞれ第１位置から第２位置へ、又は第３位置から第４位置へと移動させればよい。
【産業上の利用可能性】
【００９２】
以上説明したように、本考案に係るフィルムカバー貼り付け補助具によれば、従来は非常に手間暇が掛かり、作業者に多大な負担を強いていたフィルムカバーの貼り付け作業を、非常に効率良く、かつ失敗少なく行うことができる。本考案に係るフィルムカバー貼り付け補助具は、複雑な機械又は装置を用いるのではなく、簡単でコンパクトな構造であるので、安価であり、誰でもが比較的簡便に利用することができる。本考案が、図書館はもとより、一般家庭における本愛好者にもたらす利便性には格別のものがあり、その産業上の利用可能性は多大である。
【符号の説明】
【００９３】
１                  本体
２、１２、２２      基板
３                  央部支承体
８ａ、８ｂ、８ｃ、５８ａ、５８ｂ      開口
１１                移動体
１３                縁部支承体
１４ａ、１４ｂ、５４ａ、５４ｂ        切れ込み
１５                フィルム支承体
１６                フィルム反転溝
１９                非粘着性材料のシート
２１                押圧体
２３                表紙押さえ板
２４                フィルム押さえ板
２５                覆板
２６ａ、２６ｂ、２６ｃ      連結体
２８ａ、２８ｂ      当接部
２９                縁部押圧体
３１                フィルムカバー
３２                フィルム
３４Ｕ、３４Ｌ、３４Ｖ    切り筋
４１                本
４２                表紙
４３                中身
４４                小口
５１                第２移動体
５３                第２縁部支承体
５５                第２フィルム支承体
５６                第２フィルム反転溝
Ａ                  央部当接面
Ｂ                  縁部当接面
Ｂｅ                縁部当接面の後端部
Ｃ                  フィルム当接面
Ｃｆ                フィルム当接面の前端部
【図１】
0003226243.tif 000003
【図２】
0003226243.tif 000004
【図３】
0003226243.tif 000005
【図４】
0003226243.tif 000006
【図５】
0003226243.tif 000007
【図６】
0003226243.tif 000008
【図７】
0003226243.tif 000009
【図８】
0003226243.tif 000010
【図９】
0003226243.tif 000011
【図１０】
0003226243.tif 000012
【図１１】
0003226243.tif 000013
【図１２】
0003226243.tif 000014
【図１３】
0003226243.tif 000015
【図１４】
0003226243.tif 000016
【図１５】
0003226243.tif 000017
【図１６】
0003226243.tif 000018
【図１７】
0003226243.tif 000019
【図１８】
0003226243.tif 000020
【図１９】
0003226243.tif 000021
【図２０】
0003226243.tif 000022
【図２１】
0003226243.tif 000023
【図２２】
0003226243.tif 000024
【図２３】
0003226243.tif 000025
【図２４】
0003226243.tif 000026
【図２５】
0003226243.tif 000027
【図２６】
0003226243.tif 000028
【図２７】
0003226243.tif 000029
【図２８】
0003226243.tif 000030
【図２９】
0003226243.tif 000031
【図３０】
0003226243.tif 000032
【図３１】
0003226243.tif 000033
【図３２】
0003226243.tif 000034